(57)【特許請求の範囲】
【請求項１】
ディスクを駆動するディスク駆動装置において、
前記ディスクを挿入及び排出するための開口部が形成された筐体と、
前記開口部に挿入された前記ディスクを前記筐体の内部へと搬送し、前記筐体の内部へと搬送された前記ディスクを前記開口部から排出するディスク搬送手段と、
前記ディスクの端面に接触するディスク接触部を有し、前記ディスク搬送手段によって前記ディスクを搬送する際に、前記ディスク接触部を前記ディスクの端面に接触させた状態で移動させる移動部材と、
前記ディスク接触部に設けられ、前記ディスクの端面から前記ディスクの内部へと光を入射させる光源とを備えることを特徴とするディスク駆動装置。
【請求項２】
前記移動部材は、所定の位置を回動中心とし、前記ディスク搬送手段による前記ディスクの搬送に伴って回動する回動部材であることを特徴とする請求項１記載のディスク駆動装置。
【請求項３】
前記回動部材は、前記開口部への前記ディスクの挿入を検出する検出部材であることを特徴とする請求項２記載のディスク駆動装置。
【請求項４】
前記ディスクが前記ディスク搬送手段によって前記筐体の内部の搬送完了位置まで搬送されたとき、前記ディスク接触部を前記ディスクの端面から離間させてロックするロック手段を備えることを特徴とする請求項１記載のディスク駆動装置。
【請求項５】
前記ディスク接触部として互いに離間した位置にある第１及び第２のディスク接触部を備え、前記第１のディスク接触部には第１の光源が前記第２のディスク接触部には第２の光源が設けられ、
前記移動部材が前記開口部に前記ディスクが挿入される前の初期状態にあるとき、前記ディスクの搬送方向と直交する方向の前記第１の光源と前記第２の光源との間隔は、１５ｍｍ以上であることを特徴とする請求項１ないし４のいずれかに記載のディスク駆動装置。
【請求項６】
前記第１及び第２の光源は、前記ディスクの搬送方向と平行な方向である前記ディスクの中心線を挟むように、前記中心線から前記中心線と直交する方向に１０ｍｍ以上３０ｍｍ以内の範囲に設けられていることを特徴とする請求項５記載のディスク駆動装置。
【発明の詳細な説明】
【技術分野】
【０００１】
本発明は、ディスク（光透過性を有する光ディスクや光磁気ディスク）に映像や楽曲情報などを記録したり、その記録情報を再生したりするのに用いられるディスク駆動装置に係り、特に、スロットインタイプのディスク駆動装置において、ディスクの挿入時や排出時にディスクが光って優れたイルミネーション効果を発揮することができるディスク駆動装置に関する。
【背景技術】
【０００２】
ディスク駆動装置には、ディスクをトレイに載せてディスク駆動装置内部に搬入するものと、トレイを備えておらず、ディスク駆動装置の筐体の前面にスリット状の開口部（スロット）が設けられており、この開口部からディスクをディスク駆動装置内部に搬入するものがある。開口部にディスクを直接挿入するディスク駆動装置はスロットインタイプと称されている。
【０００３】
この種のディスク駆動装置において、暗所での視認性を高めるためやイルミネーション効果を持たせるために、ディスク駆動装置内に発光体を設けることが種々提案されている。ディスクを載置するトレイを備えるディスク駆動装置において、トレイを発光させることは、例えば実開昭６０−１９４７９７号公報（特許文献１）に記載され、スロットインタイプのディスク駆動装置において、開口部の近傍を発光させることは、例えば実開平０２−０７２４９７号公報（特許文献２）に記載されている。
【特許文献１】実開昭６０−１９４７９７号公報
【特許文献２】実開平０２−０７２４９７号公報
【発明の開示】
【発明が解決しようとする課題】
【０００４】
特許文献２に記載のように開口部の近傍を発光させるものは、暗所でもディスクを挿入する開口部の位置が明確になるという効果は得られるものの、ディスク自体から光が射出されないので、イルミネーション効果が乏しい。スロットインタイプのディスク駆動装置において、暗所での視認性やイルミネーション効果に優れたディスク駆動装置が望まれていた。
【０００５】
本発明は以上のような事情に鑑みてなされたものであり、その目的は、トレイを用いずにスリット状の開口部からディスクを装置内に挿入し装置から排出するスロットインタイプのディスク駆動装置において、暗所での視認性やイルミネーション効果に優れたディスク駆動装置を提供することにある。
【課題を解決するための手段】
【０００６】
本発明は上記目的を達成するため、ディスク（Ｄ）を駆動するディスク駆動装置において、前記ディスクを挿入及び排出するための開口部（３）が形成された筐体（１）と、前記開口部に挿入された前記ディスクを前記筐体の内部へと搬送し、前記筐体の内部へと搬送された前記ディスクを前記開口部から排出するディスク搬送手段（７）と、前記ディスクの端面に接触するディスク接触部（１２）を有し、前記ディスク搬送手段によって前記ディスクを搬送する際に、前記ディスク接触部を前記ディスクの端面に接触させた状態で移動させる移動部材（１０，２０）と、前記ディスク接触部に設けられ、前記ディスクの端面から前記ディスクの内部へと光を入射させる光源（１６）とを備えることを特徴とするディスク駆動装置を提供する。
【０００７】
ここで、前記移動部材は、所定の位置を回動中心とし、前記ディスク搬送手段による前記ディスクの搬送に伴って回動する回動部材（１０，２０）であることが好ましい。
前記回動部材は、前記開口部への前記ディスクの挿入を検出する検出部材（２０）とすることができる。
【０００８】
また、前記ディスクが前記ディスク搬送手段によって前記筐体の内部の搬送完了位置まで搬送されたとき、前記ディスク接触部を前記ディスクの端面から離間させてロックするロック手段（Ｃ）を備えることが好ましい。
【０００９】
さらに、前記ディスク接触部として互いに離間した位置にある第１及び第２のディスク接触部を備え、前記第１のディスク接触部には第１の光源が前記第２のディスク接触部には第２の光源が設けられ、前記移動部材が前記開口部に前記ディスクが挿入される前の初期状態にあるとき、前記ディスクの搬送方向と直交する方向の前記第１の光源と前記第２の光源との間隔は、１５ｍｍ以上であることが好ましい。
第１及び第２の光源は、前記ディスクの搬送方向と平行な方向である前記ディスクの中心線を挟むように、前記中心線から前記中心線と直交する方向に１０ｍｍ以上３０ｍｍ以内の範囲に設けられていることが好ましい。
【発明の効果】
【００１０】
本発明のディスク駆動装置によれば、暗所での視認性を向上させることができ、優れたイルミネーション効果を発揮することができる。
【発明を実施するための最良の形態】
【００１１】
＜第１実施形態＞
以下、図面に基づいて本発明の第１実施形を詳しく説明する。図１は本発明に係るスロットインタイプのディスク駆動装置を示した外観斜視図である。図１において、１は装置の外装を成す筐体であり、その前面は図示せぬ操作スイッチ類を配した操作面２とされ、その操作面２には光透過性を有するディスクＤ（光ディスクや光磁気ディスク）を出し入れするスリット状の開口部３（スロット）が形成されている。ここでは、ディスクＤをＣＤ（コンパクトディスク）やＤＶＤ（デジタル・バーサタイル・ディスク）のような光ディスクとしている。
【００１２】
なお、開口部３に塵埃の侵入を防止する図示せぬフラップ板を設けて、開口部３を開閉自在としてもよい。この場合は、フラップ板は透明材料により形成することが好ましく、これによりフラップ板で開口部３を閉鎖した場合でも後述する光源の放射光を開口部３から漏れ出させて開口部３の位置を明確にすることができる。
【００１３】
図１において、ハッチングを付したディスクＤの外周端面ｆ１と内周端面ｆ２、及び中心孔周囲の透明部分ｆ３は、後に詳述するようにディスクＤの主発光部分となる。
【００１４】
次に、図２は筐体の内部を示す。図２において、４はディスクを回転させるターンテーブル、５はターンテーブルと協働してディスクＤの中心部をチャッキングするクランプ盤、６はディスクのピット列を検出するピックアップであり、それらは図示せぬシャーシに一体に組み付けられてディスクＤの記録／再生駆動を行うドライブユニットを構成する。
ディスクＤは、ターンテーブル４とクランプ盤５とにより中心部をチャッキングされた状態で一方向に回転され、その状態でピックアップ６がディスクＤの盤面に沿ってその半径方向に移動するようになっている。
【００１５】
さらに、７は開口部３とターンテーブル４との間でディスクＤの搬送を行うディスク搬送手段である。本例においては、ディスク搬送手段７は、筐体１の内部に設けられている送りローラ８と固定プレート９とにより構成されている。ディスク搬送手段７はこの構成に限定されることはなく、ディスクＤを挟み込む一対の送りローラを用いて構成することもできる。
【００１６】
送りローラ８は、図示せぬ駆動源により正逆に回転されるもので、これは開口部３の長手方向に平行に、かつ固定プレート９に向かってバネ付勢された状態で上下（ターンテーブル４の回転軸方向）に移動可能に設けられている。
固定プレート９は、合成樹脂などから形成される扁平な板状部材であり、送りローラ８に対向して開口部３よりも筐体１内の上部に設けられている。固定プレート９における送りローラ８に対向する面はフッ素樹脂加工が施されて摩擦力が小さな平滑面とされている。これにより固定プレート９に摺接するディスクＤの傷付きが防止される。
【００１７】
そして、以上のようなディスク搬送手段７によれば、開口部３に挿入されたディスクＤを送りローラ８と固定プレート９とで挟み込み、その状態で送りローラ８が正転駆動してディスクＤを固定プレート９に摺接させつつターンテーブル４上まで搬入し、ディスクＤとターンテーブル４の中心が合致した時点では、送りローラ８が降下してディスクＤから離間するようになっている。なお、固定プレート９にはディスクＤの挿入を検出する図示せぬ検出器（例えば、フォトセンサ）が設けられ、これによりディスクＤの挿入が検出されたとき送りローラ８が正転駆動するようにしてある。
【００１８】
また、ディスクＤの排出時には、送りローラ８が上昇して固定プレート９との間でディスクＤを挟み込み、その状態で送りローラ８が逆転駆動してディスクＤを固定プレート９に摺接させつつ開口部３の位置まで搬出する。
ディスク搬送手段７によるディスクＤの搬出動作が完了した時点で、ディスクＤはその一部を送りローラ８と固定プレート９とにより厚さ方向から挟み込まれたまま、全体の約半分が開口部３から筐体１の外部に排出される。これにより、ユーザはディスクＤを抜き取ることができ、ディスクＤを開口部３から抜き取った後には、他のディスクＤを開口部３に対して挿入可能となる。
【００１９】
図３は筐体内部を示した平面概略図である。図３において、１０はディスクの搬送経路を開閉する左右一対の回動部材（レバー）であり、それら回動部材１０は筐体１内における開口部３に近接する位置にあってディスクＤの搬送経路を挟んで固定プレート９に回動自在に取り付けられている。回動部材１０の先端部分はディスクＤの搬送経路内に張り出す凸状部１１とされ、その凸状部１１の端面部分が開口部３に対するディスクＤの挿入および排出に際してディスクＤの端面と接触するディスク接触部１２とされている。
【００２０】
ここで、一対の回動部材１０，１０のディスク接触部１２を形成する凸状部１１内には光源１６が設けられている。光源１６は例えばチップ型の発光ダイオード（ＬＥＤ）であり、赤、緑、青の光の合成により種々の光色を発生することのできるマルチカラーＬＥＤであることが好ましいが、赤と緑の二色ＬＥＤや単色ＬＥＤであってもよい。図４に示すように、ディスク接触部１２をディスクＤの端面に接触させた状態で、光源１６がちょうどディスクＤの端面に対向した位置となるにしている。従って、光源１６から発せられた光はディスクＤの端面からディスクＤの内部へと侵入する。
【００２１】
さらに、図３において、１３は回動部材１０の回動案内をする円弧状のガイドプレート、１４は回動部材１０を開口部３側に付勢するバネで、そのバネ１４の両端は回動部材１０と固定プレート９とに係止されている。
回動部材１０は、開口部３に対するディスクＤの挿入前にはバネ１４の弾力により図３に示す実線の位置にあってディスクＤの搬送経路を遮断している。ディスクＤが開口部３に挿入されると、回動部材１０がその一部（ディスク接触部１２）をディスクＤの端面により押圧されつつ固定プレート９との結節点１５を中心に開口部３の奥側に回動し、これによりディスクＤの搬送経路が徐々に開放される。即ち、ディスクＤによりディスク接触部１２の間隔が押し広げられ、これにより一対の回動部材１０，１０におけるディスク接触部１２，１２の間でディスクＤの通過が許容されるようになっている。
【００２２】
開口部３に挿入されたディスクＤがディスク搬送手段７により定位置まで搬入されたとき、回動部材１０は後述するロック手段によりロックされ、これにより図３の想像線で示される如く、ディスク接触部１２がディスクＤの端面から離間された状態に保持されるようになっている。ディスク接触部１２がディスクＤの端面から離間すると、ディスクＤが回転するようになっている。
【００２３】
ディスクＤを開口部３に挿入する以前においては、光源１６から発せられた光は開口部３を内部から照らしているので、ディスク駆動装置が暗所に設置されている場合であってもディスクＤを挿入すべき開口部３の位置を容易に認識することができる。これと併せて、優れたイルミネーション効果も発揮される。
【００２４】
そして、ディスクＤを開口部３に挿入してディスク接触部１２がディスクＤの端面に接触すると、図５に示すように、光源１６から発せられた光はディスクＤの端面からディスクＤの内部へと入射する。ディスクＤの内部に入射した光は、ディスクＤの内周縁と外周縁との間で反射を繰り返すなどして筐体１の外部におけるディスクＤの外周端面ｆ１（外部露出端）まで導光される。ディスクＤがターンテーブル４とクランプ盤５とによるチャッキング位置まで搬送されるまでディスク接触部１２がディスクＤの端面に接触し続けるので、ディスクＤの搬送過程においても光源１６から発せられた光はディスクＤの端面からディスクＤの内部へと進入して、ディスクＤ自体を発光させる。
【００２５】
このため、遮光性の保護膜により覆われていないディスクＤの透明部分、特にその外周端面ｆ１と内周端面ｆ２と中心孔周囲の透明部分ｆ３は、開口部３に対するディスクＤの挿入及び排出に際して高輝度で発光することとなる。この結果、優れたイルミネーション効果が発揮される。また、ディスクＤの排出時においては、開口部３から露出するディスクＤの発光によりその視認性が向上し、暗所においてもディスクＤの位置が明確となるためディスクＤの抜き取りを容易に行うことができる。なお、光源１６としてマルチカラーＬＥＤを用いた場合には、光色変換制御を行うことにより、ディスクＤの発光色を周期的に変化させてイルミネーション効果を一層向上させることも可能である。
【００２６】
図６において、１７は光源１６が導電接続される基板であり、この基板１７は光源１６の背面側で回動部材１０に固定される。そして、基板１７は可撓性を有する信号線１８（例えば、ＦＰＣ：フレキシブルプリント配線）を介して固定プレート９に配されるコネクタ１９（図３参照）に導電接続される。
【００２７】
また、図６において、Ｃは上記のロック手段を構成するカムである。このカムＣは、例えばピックアップ６をディスクＤの径方向に移動させるトラバース機構のような既設の可動部品に形成されるＬ形の小片である。このカムＣは、ディスク搬送手段７によるディスクＤの搬送動作に連動してディスクＤの搬送方向（図６の矢印方向）に移動する。ディスクＤの搬送が完了してディスクＤが搬送完了位置であるターンテーブル４及びクランプ盤５まで達すると、カムＣは回動部材１０と係合する位置に移動してディスク接触部１２をディスクＤの端面から離間させると共に、回動部材１０がバネ１４の付勢力により開口部３側に回動するのを規制する。
【００２８】
なお、回動部材１０の凸状部１１はカムＣと係合するカム従節とされ、ディスク搬送手段７によるディスクＤの搬出時には、凸状部１１とカムＣとの係合が断たれてディスク接触部１２とディスクの端面とが再接触するようになっている。このため、開口部３に対するディスクＤの挿入及び排出のいずれにおいても、ディスクＤは光源１６から発せられる光により発光する。
【００２９】
以上のように構成される第１実施形態のディスク駆動装置において、開口部３にディスクＤを挿入する前の回動動部材１０が回動していない図３の実線で示す初期状態における一対の光源１６，１６の間隔や、光源１６とディスクＤとの位置関係は次のようにすることが好ましい。
【００３０】
ディスク駆動装置にはディスクＤとして直径１２ｃｍのディスクＤ１２または直径８ｃｍのディスクＤ８が挿入される。まず、ディスクＤ１２のみを考慮した場合の好ましい形態について説明する。図７に示すように、一対の光源１６，１６はディスクＤ８，Ｄ１２の幅方向の中心線Ｌ０を挟むように対称に配置されている。中心線Ｌ０はディスクＤ８，Ｄ１２の搬送方向に平行である。ディスクＤ１２の中心孔ＣＨは直径１５ｍｍであるので、一対の光源１６，１６の間隔は１５ｍｍ以上とすることが好ましい。２０ｍｍ以上であればより好ましい。本発明者の実験により、光源１６が中心線Ｌ０から５０ｍｍを超える外側に配置されると、イルミネーション効果が発揮されにくいことが明らかとなった。従って、一対の光源１６，１６はそれぞれ中心線Ｌ０から中心線Ｌ０と直交する方向に７．５ｍｍ以上５０ｍｍ以下の範囲に設けることが好ましく、１０ｍｍ以上５０ｍｍ以下の範囲に設けることはより好ましい。
【００３１】
直径１２ｃｍのディスクＤ１２専用のディスク駆動装置であれば、一対の光源１６，１６は上記のように設ければよいが、直径８ｃｍのディスクＤ８を挿入することを考慮すれば、さらに次のようにすることが好ましい。ディスクＤ８の中心孔ＣＨも直径１５ｍｍであるので、一対の光源１６，１６の間隔は１５ｍｍ以上とすることが好ましく、２０ｍｍ以上であればより好ましい。本発明者の実験により、光源１６が中心線Ｌ０から３０ｍｍを超える外側に配置されると、ディスクＤ８におけるイルミネーション効果が発揮されにくいことが明らかとなった。
従って、一対の光源１６，１６はそれぞれ中心線Ｌ０から中心線Ｌ０と直交する方向に７．５ｍｍ以上３０ｍｍ以下の範囲に設けることが好ましく、１０ｍｍ以上３０ｍｍ以下の範囲に設けることはより好ましい。
【００３２】
さらに、図７に示すように、光源１６とディスクＤ１２の中心孔ＣＨの端部（内周端面ｆ２）とを結ぶ接線をＬ１，Ｌ２としたとき、光源１６から発せられる矢印ＤＲで示す光の射出方向は接線Ｌ１，Ｌ２で囲まれたディスクＤ８，Ｄ１２の内周側よりも外周側に向いていることが好ましい。このようにすると、直径８ｃｍのディスクＤ８を挿入する場合でも、光源１６から発せられる光の射出方向はディスクＤ８の中心孔ＣＨ内に向かうことはない。図７においては、光の射出方向をディスクＤ８，Ｄ１２の搬送方向（中心線Ｌ０）と平行とした状態を示している。光の射出方向をディスクＤ８，Ｄ１２の搬送方向と平行な状態よりも外周側に向けてもよい。なお、光源１６からの光が所定の断面積を有する拡散光であれば、光の射出方向とは拡散光における中心の光が向かう方向である。
【００３３】
以上説明した第１実施形態においては、ディスクＤの搬送経路の両側に一対の回動部材１０，１０を設け、その両方に光源１６を設ける構成としたが、光源１６をいずれか一方の回動部材１０のみに設ける構成としてもよいし、回動部材１０を１つのみとしてもよい。但し、一対の回動部材１０，１０を設け、その両方に光源１６を設ける構成の方がディスクＤの発光が良好となるので、光源１６を１つのみとするより、互いに離間した位置にある２つの光源１６とすることは好ましい。
【００３４】
第１実施形態においては、ディスク搬送手段７によってディスクＤを搬送する際に、ディスク接触部１２をディスクの端面に接触させた状態でディスク接触部１２（光源１６）をディスクＤと共に移動させるための構成として、回動部材１０を用いている。ディスク接触部１２（光源１６）をディスクＤと共に移動させるための構成はこれに限定されるものではなく、例えばディスクＤの搬送方向に平行移動していく部材にディスク接触部１２（光源１６）を設けてもよい。回動部材１０のような回動機構は構成を簡略化することができるので、回動部材１０を用いることは好ましい。回動部材１０はディスク接触部１２（光源１６）をディスクＤと共に移動させる移動部材の好適な一例である。
【００３５】
＜第２実施形態＞
次に、本発明の第２実施形態について説明する。図８，図９に示す第２実施形態において、第１実施形態と同一部分には同一符号を付し、その説明を適宜省略する。第２実施形態は、開口部３にディスクＤが挿入されたことを検出するための検出部材である回動部材２０に光源２４を設けて、光源２４からの光をディスクＤの端面からディスクＤ内に入射させてディスクＤを発光させるように構成したものである。
【００３６】
図８において、ディスクＤの挿入を検出するための左右一対の回動部材２０，２０は、筐体１内における開口部３に近接する位置にあってディスクＤの搬送経路を挟んで固定プレート９に回動自在に取り付けられている。回動部材２０の回動中心をなす結節点２１側の一端には検出器Ｓに対応して突片２２が形成されている。検出器Ｓはマイクロスイッチなどからなる接触型のスイッチであり、回動部材２０の一端部に隣接して固定プレート９に取り付けられている。
開口部３にディスクＤが挿入されて回動部材２０が回動されると、突片２１により検出器Ｓのスイッチング操作が行われ、これによりディスク搬送手段７を構成する送りローラ８（図２参照）が正転駆動するようになっている。
【００３７】
なお、回動部材２０の先端には、固定プレート９を貫通してディスクＤの搬送経路内に垂下するピン２３が突設され、そのピン２３がディスクＤの端面で押圧されることにより回動部材２０が回動されるようになっている。
ピン２３は開口部３に対するディスクＤの挿入及び排出に際してディスクＤの端面が接触するディスク接触部とされる。固定プレート９にはピン２３の移動を許容するべく図示せぬ円弧状のガイド溝が形成されている。
【００３８】
そして、回動部材２０には、ピン２３に端面を接触させたディスクＤに対してその端面から光を入射させるための光源２４が設けられている。光源２４から射出されてディスクＤの内部に進入した光により、開口部３に対するディスクＤの挿入及び排出に際してディスクＤが発光するようになっている。
なお、本例において、ピン２３は透明樹脂などの光透過性材料により形成され、その内部に光源２４を埋設する構成としているが、ピン２３を非透光性部材により形成して光源２４の位置に出光用の窓を形成したり、光源２４をピン２３の隣接位置に設けたりするなどしてもよい。
【００３９】
ここで、図９を用いて図８に示す第２実施形態のディスク駆動装置の作用について説明する。図９（ａ）はディスクＤの挿入前の状態であり、このとき一対の回動部材２０は図示せぬバネの作用により互いのピン２３がディスクＤの直径よりも小さな間隔となる状態に保持されている。
【００４０】
この状態で、開口部３にディスクＤを挿入すると、ディスクＤにより図９（ｂ）の如く左右一対の回動部材２０，２０が押し広げられ、これにより突片２２による検出器Ｓのスイッチング操作が行われる。ここでのスイッチング操作は突片２２が検出器Ｓより離間したことを検出するものである。すると、ディスク搬送手段７を構成する送りローラ８が起動し、筐体１内部へのディスクＤの搬入が開始される。
また、開口部３にディスクＤを挿入したとき、光源２４の光が筐体１内におけるディスクＤの端面からその内部に入射し、入射した光がディスクＤの内周縁と外周縁との間で反射を繰り返すなどして筐体１の外部におけるディスクＤの外周端面ｆ１（外部露出端）まで導光される。このため、ディスクＤは発光しながら筐体１内部に引き込まれる。
【００４１】
そして、ディスクＤは左右一対の回動部材２０，２０を押し広げながら筐体１内へ進入し、ディスクＤの中心部分がピン２３，２３の間を通過すると、回動部材２０は図示せぬバネの作用によりピン２３をディスクＤの端面に接触させたまま、図７（ｃ）の如くディスクＤの外周に沿って徐々に閉鎖方向に回動を始める。ディスクＤの中心がターンテーブル４上に案内されると、図７（ｄ）の如く回動部材２０が初期位置まで復帰してディスクＤの端面からピン２３が離間する。
【００４２】
筐体１内のディスクＤをディスク搬送手段７により開口部３に向けて搬出するときにも、筐体１内から開口部３に向けて移動するディスクＤによってピン２３，２３が押圧され、これにより回動部材２０が押し広げられる。そして、光源２４からの光がディスクＤの端面からその内部に入射されることにより、ディスクＤが発光する。ディスクＤは発光した状態のまま、開口部３から筐体１の外部に排出されてユーザによる抜き取り待ちの状態となる。
【００４３】
従って、第２実施形態のディスク駆動装置においても、開口部３へのディスクＤの挿入前には、開口部３から漏れ出る光源２４からの光により開口部３の位置が明確となるため、暗所でも開口部３にディスクＤを容易に挿入することができる。また、開口部３に対するディスクＤの挿入及び排出に際してディスクＤが高輝度で発光するので、優れたイルミネーション効果が発揮される。ディスクＤの排出時にはディスクＤの視認性が向上するので、抜き取りも容易となる。
第２実施形態は、ディスクＤが挿入されたことを検出するための検出部材に光源２４を設けているので、第１実施形態のように光源１６をディスクＤと共に移動させるための専用の機構を必要としないので、安価に構成できるという効果を奏する。
【００４４】
以上説明した第２実施形態においては、ディスクＤの搬送経路の両側にディスクＤの挿入検出用の一対の回動部材２０，２０を設け、その両方に光源２４を設ける構成としたが、光源２４をいずれか一方の回動部材２０のみに設ける構成としてもよいし、回動部材２０を１つのみとしてもよい。但し、一対の回動部材２０，２０を設ける方がディスクＤの挿入を確実に検出でき、両方の回動部材２０に光源２４を設ける構成の方がディスクＤの発光が良好となるので、回動部材２０及び光源２４を１つのみとするより、互いに離間した位置にある２つの回動部材２０及び光源２４とすることは好ましい。
【００４５】
第２実施形態においても、一対の光源２４，２４の間隔やディスクＤの幅方向の中心線Ｌ０との位置関係は、図７で説明したようにすることが好ましい。
【００４６】
＜第３実施形態＞
次に、本発明の第３実施形態について説明する。図１０，図１１に示す第３実施形態において、第１実施形態と同一部分には同一符号を付し、その説明を適宜省略する。第３実施形態は、第１，第２実施形態のようにディスクＤの搬送に際して移動する光源１６，２４を設けるのではなく、固定の光源３０を設けたものである。
【００４７】
図１０は、開口部３に対してディスクＤが挿入または排出された状態を示す平面概略図である。図１０に示すように、筐体１内における開口部３の長手方向両端近傍位置には、ディスクＤの搬送経路を挟んで一対の光源３０が設けられている。光源３０は、開口部３に対するディスクＤの挿入及び排出に際してディスクＤの端面に対向する位置に固設され、光源３０から射出される光により、ディスクＤが発光するようになっている。なお、ここでいう光源３０とディスクＤの端面との対向とは、両者が直接的に向かい合っていることを意味するだけでなく、両者間に他の部材が配置されていて間接的に向かい合っていることも意味する。即ち、光源３０とディスクＤの端面との高さ方向の位置（ディスクＤの面と直交する方向の位置）をほぼ一致させていることを意味する。
【００４８】
また、図１０においては、光源３０に近接して、光源３０から発せられた光をディスクＤの端面に集中的に導くための導光部材３１が設けられている。光源３０と導光部材３１とを密着させて両者を一体としてもよい。導光部材３１は、例えばプリズムよりなる。導光部材３１は、光源３０から発せられた光を集光すると共に、ディスクＤの方向に向かう光Ｌｔ１と開口部３の長手方向両端部に向かう光Ｌｔ２とに分光するものであることが好ましい。このようにすると、光源３０から発せられた光はディスクＤの端面からディスクＤの内部へと進入してディスクＤの外周端面ｆ１と内周端面ｆ２と中心孔周囲の透明部分ｆ３が発光すると共に、開口部３とディスクＤとの隙間から光Ｌｔ２が漏れ出る。
【００４９】
図１１に示すように、導光部材３１は、光源３０側からディスクＤの端面側に向かって厚さが漸次減少する先細りの形状とすることが好ましく、これによりディスクＤに進入する光量を増やすことができる。
【００５０】
第３実施形態のディスク駆動装置においても、開口部３へのディスクＤの挿入前には、開口部３から漏れ出る光源３０からの光により開口部３の位置が明確となるため、暗所でも開口部３にディスクＤを容易に挿入することができる。また、開口部３に対するディスクＤの挿入及び排出に際してディスクＤが高輝度で発光するので、優れたイルミネーション効果が発揮される。ディスクＤの排出時にはディスクＤの視認性が向上するので、抜き取りも容易となる。
【００５１】
以上説明した第１〜第３実施形態のディスク駆動装置は、ＣＤプレーヤ，ＤＶＤプレーヤ，ＤＶＤレコーダ，カーナビゲーション用のＤＶＤプレーヤなどに適用することができる。また、第１〜第３実施形態のディスク駆動装置は、車載用のディスク駆動装置として好適であり、車載用以外の室内据置型やポータブル型のディスク駆動装置にも勿論好適である。
【図面の簡単な説明】
【００５２】
【図１】本発明の第１〜第３実施形態の外観斜視図である。
【図２】第１〜第３実施形態の内部構造を側面側から見て概略的に示した平面図である。
【図３】第１実施形態の内部構造を上面側から見て概略的に示した平面図である。
【図４】第１実施形態を説明するための平面図である。
【図５】第１実施形態におけるディスクの挿入または排出時の作用を説明するための平面図である。
【図６】第１実施形態における回動部材を説明するための拡大図である。
【図７】第１実施形態の好ましい形態を説明するための図である。
【図８】第２実施形態の内部構造を上面側から見て概略的に示した平面図である。
【図９】第２実施形態の動作を説明するための図である。
【図１０】第３実施形態の内部構造を上面側から見て概略的に示した平面図である。
【図１１】第３実施形態好ましい形態を説明するための図である。
【符号の説明】
【００５３】
１  筐体
３  開口部
４  ターンテーブル
６  ピックアップ
７  ディスク搬送手段
８  送りローラ
９  固定プレート
１０，２０  回動部材
１２  ディスク接触部
１６，２４，３０  光源
２３  ピン（ディスク接触部）
３１  導光部材
Ｃ  カム（ロック手段）
Ｄ  ディスク
【図１】
0004438776.tif 000002
【図２】
0004438776.tif 000003
【図３】
0004438776.tif 000004
【図４】
0004438776.tif 000005
【図５】
0004438776.tif 000006
【図６】
0004438776.tif 000007
【図７】
0004438776.tif 000008
【図８】
0004438776.tif 000009
【図９】
0004438776.tif 000010
【図１０】
0004438776.tif 000011
【図１１】
0004438776.tif 000012